(57)【要約】【課題】リレーにより加熱手段の加熱制御をする炊飯器において、光加熱手段に電流を流すことなくリレーの接点溶着などの異常を検知できるようにし、光加熱手段の寿命に影響を与えないようにする。【解決手段】上面が開口した炊飯器本体１１の上面開口部を蓋１２により開閉自在に覆い、炊飯器本体１１内に内鍋１０を着脱自在に収納し、内鍋１０内の調理物を光加熱手段１３により加熱し、光加熱手段１３の通電をリレー１４により制御し、リレー１４を駆動する駆動手段１５を制御手段１６により制御して調理物への加熱を制御する。リレー１４と電気的に絶縁して検知を行う絶縁接点検知手段１７によりリレー１４の内部接点のオンオフを検知するよう構成する。【選択図】図１
2008264201.tif 000002
【特許請求の範囲】
【請求項１】
上面が開口した炊飯器本体と、前記炊飯器本体の上面開口部を開閉自在に覆う蓋と、前記炊飯器本体内に着脱自在に収納される内鍋と、前記内鍋内の調理物を光により加熱する光加熱手段と、前記光加熱手段の通電を制御するリレーと、前記リレーを駆動する駆動手段と、前記駆動手段を制御し調理物への加熱を制御する制御手段とを備え、前記リレーと電気的に絶縁して検知を行う絶縁接点検知手段により前記リレーの内部接点のオンオフを検知するよう構成した炊飯器。
【請求項２】
絶縁接点検知手段の接点検知波形を検知しやすい一定電圧に変換するピークホールド手段を付加した請求項１記載の炊飯器。
【請求項３】
絶縁接点検知手段がリレーの接点異常を検知すると、所定回数リレーのオン／オフを繰り返す異常解除手段を付加した請求項１または２記載の炊飯器。
【請求項４】
絶縁接点検知手段がリレーの接点異常を検知すると、異常停止モードにモード変更し、リレーのオンを禁止するモード変更手段を付加した請求項１〜３のいずれか１項に記載の炊飯器。
【請求項５】
スイッチなどの入力手段と、異常停止モードの際に入力手段から入力があった場合は再度リレーの復帰動作を行わせる再復帰手段を付加した請求項４記載の炊飯器。
【請求項６】
リレー接点異常が復帰した場合でもリレー接点異常を記憶する記憶手段と、前記記憶手段が記憶したデータを表示する表示手段を付加した請求項１〜５のいずれか１項に記載の炊飯器。
【発明の詳細な説明】
【技術分野】
【０００１】
本発明は、リレーにより加熱手段の加熱制御をする炊飯器に関するものである。
【背景技術】
【０００２】
従来、炊飯器において、ヒータなどの加熱制御にリレーを使用している場合は、リレーの接点溶着によるヒータの過加熱、異常加熱をふせぐためにリレーの接点溶着の検知を行うようにしていた（例えば、特許文献１参照）。
【０００３】
図１２は、従来の炊飯器のリレーの接点溶着検知を行う要部回路図である。図１２において、リレー１がオン、オフすることにより、ヒータ２の通電を制御している。リレー１の接点溶着検知はリレー１とヒータ２の間の電位を抵抗Ｒ１、Ｒ２、Ｒ３で分圧し、トランジスタＴＲ１、抵抗Ｒ５を介してマイコン３に入力することによって行う。リレー１がオンしているときは、トランジスタＴＲ１には全波整流された交流波形が印加されるので、マイコン３には矩形波が入力される。リレー１がオフしているときは、トランジスタＴＲ１にはロー電位が印加されるのでマイコン３にはハイ電位が入力される。よって、マイコン３がリレー１をオンさせようとしているのにマイコン３への接点検知信号がハイの一定電位である場合や、また、逆にマイコン３がリレー１をオフさせようとしているのに接点検知信号が矩形波であった場合、接点の状態が変化せずに溶着していると判断することができる。
【特許文献１】特開平９−１４０５６１号公報
【発明の開示】
【発明が解決しようとする課題】
【０００４】
しかしながら、このような構成では、リレー１がオフしている場合でも、交流電源から電流がヒータ２、抵抗Ｒ１、Ｒ２、Ｒ３、グランドを通り、ダイオードブリッジの片側に流れる。そして、ダイオードブリッジを通って交流電源のもう一方側に微少ながら電流が流れることになる。通常のヒータの場合ではあまり問題にならないが、特に、ハロゲンヒータのような光による加熱素子（光加熱手段）などの場合は、微小でも電流が流れることによって素子寿命に影響を与えるといった問題があった。
【０００５】
本発明は上記課題を解決するもので、光加熱手段に電流を流すことなくリレーの接点溶着などの異常を検知できるようにし、光加熱手段の寿命に影響を与えないようにすることを目的としている。
【課題を解決するための手段】
【０００６】
本発明は上記目的を達成するために、上面が開口した炊飯器本体の上面開口部を蓋により開閉自在に覆い、炊飯器本体内に内鍋を着脱自在に収納し、内鍋内の調理物を光加熱手段により加熱し、光加熱手段の通電をリレーにより制御し、リレーを駆動する駆動手段を制御手段により制御して調理物への加熱を制御するよう構成し、リレーと電気的に絶縁して検知を行う絶縁接点検知手段によりリレーの内部接点のオンオフを検知するよう構成したものである。
【０００７】
これにより、光加熱手段と絶縁接点検知手段が電気的に絶縁されているので、光加熱手段に電流を流すことなくリレーの接点溶着などの異常を検知することができ、光加熱手段の寿命に影響を与えないようにすることができる。
【発明の効果】
【０００８】
本発明の炊飯器は、光加熱手段と絶縁接点検知手段が電気的に絶縁されているので、光加熱手段に電流を流すことなくリレーの接点溶着などの異常を検知することができ、光加熱手段の寿命に影響を与えないようにすることができる。
【発明を実施するための最良の形態】
【０００９】
第１の発明は、上面が開口した炊飯器本体と、前記炊飯器本体の上面開口部を開閉自在に覆う蓋と、前記炊飯器本体内に着脱自在に収納される内鍋と、前記内鍋内の調理物を光により加熱する光加熱手段と、前記光加熱手段の通電を制御するリレーと、前記リレーを駆動する駆動手段と、前記駆動手段を制御し調理物への加熱を制御する制御手段とを備え、前記リレーと電気的に絶縁して検知を行う絶縁接点検知手段により前記リレーの内部接点のオンオフを検知するよう構成したものであり、光加熱手段と絶縁接点検知手段は電気的に絶縁されているので、光加熱手段に電流を流すことなくリレーの接点溶着などの異常を検知することができ、光加熱手段の寿命に影響を与えないようにすることができる。
【００１０】
第２の発明は、上記第１の発明において、絶縁接点検知手段の接点検知波形を検知しやすい一定電圧に変換するピークホールド手段を付加したものであり、接点検知波形が一定電圧になることにより、いつも入力をチェックしている必要がなく、一定時間ごとに入力をチェックすることで容易に接点溶着などの異常を検知することができる。
【００１１】
第３の発明は、上記第１または第２の発明において、絶縁接点検知手段がリレーの接点異常を検知すると、所定回数リレーのオン／オフを繰り返す異常解除手段を付加したものであり、リレーの接点溶着が起こった場合、何回かリレーのオン／オフを繰り返すことによりリレーの接点に負荷がかかり、接点溶着が解除することができる。
【００１２】
第４の発明は、上記第１〜３のいずれか１つの発明において、絶縁接点検知手段がリレーの接点異常を検知すると、異常停止モードにモード変更し、リレーのオンを禁止するモード変更手段を付加したものであり、異常停止モードにすることにより、炊飯器の異常を使用者に知らせることができ、異常なまま炊飯器の使用を続けるのを防ぐことができる。
【００１３】
第５の発明は、上記第４の発明において、スイッチなどの入力手段と、異常停止モードの際に入力手段から入力があった場合は再度リレーの復帰動作を行わせる再復帰手段を付加したものであり、時間がたってリレーの接点溶着などの異常が解除する場合もあるので、異常停止モードの際も入力手段による入力によって、再度復帰動作をできるようにすることで再復帰することができる。
【００１４】
第６の発明は、上記第１〜５のいずれか１つの発明において、リレー接点異常が復帰した場合でもリレー接点異常を記憶する記憶手段と、前記記憶手段が記憶したデータを表示する表示手段を付加したものであり、製品の不良解析の際、重要な手がかりにすることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１の炊飯器のブロック図を示し、図２は、同炊飯器の断面図を示すものである。
【００１７】
図１および図２に示すように、内鍋１０は、上面が開口した炊飯器本体１１内に着脱自在に収納している。蓋１２は炊飯器本体１１の上面開口部を開閉自在に覆っている。光加熱手段１３は光による加熱で内鍋１０内の調理物を加熱するもので、底面ハロゲンヒータ１８と側面ハロゲンヒータ１９とで構成し、それぞれのハロゲンヒータは底面強化ガラス２０、側面強化ガラス２１で覆っている。また、底面ハロゲンヒータ１８が光る様子が見えるように窓２２を設置している。
【００１８】
リレー１４は光加熱手段１３への通電をオン、オフすることで光加熱手段１３による加熱を制御する。駆動手段１５はリレー１４を駆動し、制御手段１６は駆動手段１５を制御することにより内鍋１０内の調理物の加熱を制御するようにしている。絶縁接点検知手段１７は、リレー１４と電気的に絶縁してリレー１４の接点溶着などの異常検知をするもので、この絶縁接点検知手段１７はリレー１４や光加熱手段１３から電流が流れることがないようにしている。
【００１９】
すなわち、図３に示すように、リレー１４をオン、オフすることにより底面ハロゲンヒータ１８の通電を制御している。リレー１４の接点溶着などの異常検知は、リレー１４と底面ハロゲンヒータ１８の間の電位を抵抗Ｒ１を介してフォトカプラＰＣにより電気的に絶縁して、抵抗Ｒ２、Ｒ３で分圧し、トランジスタＴＲ１、抵抗Ｒ５を介してマイコン２３に入力することによって行うようにしている。
【００２０】
上記構成において動作、作用を説明する。リレー１４がオンしているときは、トランジスタＴＲ１には半波整流された交流波形が印加されるので、マイコン２３には矩形波が入力される。リレー１４がオフしているときは、トランジスタＴＲ１にはロー電位が印加されるのでマイコン２３にはハイ電位が入力される。よって、マイコン２３がリレー１４をオンさせようとしているのにマイコン２３への接点検知信号がハイの一定電位である場合や、また、逆にマイコン２３がリレー１４をオフさせようとしているのに接点検知信号が矩形波であった場合、接点の状態が変化せずに溶着していると判断することができる。
【００２１】
リレー１４、底面ハロゲンヒータ１８とトランジスタＴＲ１等の接点検知回路はフォトカプラＰＣによって電気的に絶縁されているので、リレー１４がオフ時でも底面ハロゲンヒータ１８には電流が流れることがない。
【００２２】
以上のように、本実施の形態においては、リレー１４と電気的に絶縁して検知を行う絶縁接点検知手段１７によりリレー１４の内部接点のオンオフを検知するよう構成したので、光加熱手段１３と絶縁接点検知手段１７は電気的に絶縁されているので、光加熱手段１３に電流を流すことなくリレー１４の接点溶着などの異常を検知することができ、光加熱手段１３の寿命に影響を与えないようにすることができる。
【００２３】
（実施の形態２）
図４は、本発明の実施の形態２の炊飯器のブロック図を示すものである。
【００２４】
図４に示すように、ピークホールド手段３０は、絶縁接点検知手段１７の出力波形が矩形波などの場合は、接点検知波形を検知しやすい一定電圧に変換するものであり、図５に示すように、トランジスタＴＲ１からの出力を抵抗Ｒ５とコンデンサＣ１によって平滑し、抵抗内蔵トランジスタＴＲ２を介してマイコン２３に入力するようにしている。他の構成は上記実施の形態１と同じであり、同一符号を付して説明を省略する。
【００２５】
上記構成において動作、作用を説明する。リレー１４がオンしているときは、トランジスタＴＲ１には半波整流された交流波形が印加され、マイコン２３には矩形波のローレベルがホールドされたロー電位が入力される。リレー１４がオフしているときは、トランジスタＴＲ１にはロー電位が印加されるので、マイコン２３にはハイ電位が入力される。
【００２６】
以上のように、本実施の形態においては、絶縁接点検知手段１７の接点検知波形を検知しやすい一定電圧に変換するピークホールド手段３０を付加したので、接点検知波形が一定電圧になることにより、いつも入力をチェックしている必要がなく、一定時間ごとに入力をチェックすることで容易に接点溶着などの異常を検知することができる。
【００２７】
（実施の形態３）
図６は、本発明の実施の形態３の炊飯器のブロック図を示すものである。
【００２８】
図６に示すように、異常解除手段４０は、絶縁接点検知手段１７がリレー１４の接点溶着を検知したとき、所定回数リレー１４のオン／オフを繰り返すことによりリレー１４の接点に負荷をかけ、接点溶着を解除するようにしている。他の構成は上記実施の形態１と同じであり、同一符号を付して説明を省略する。
【００２９】
上記構成において図７を参照しながら動作、作用を説明する。
【００３０】
図７において、ステップ４１で異常フラグが立っているかどうかを判定し、異常フラグが立っていると処理を終了する。異常フラグが立っていないときはステップ４２へ進み、ステップ４２でリレー１４が接点異常かどうかを判定し、接点異常でないならば処理を終了する。接点異常の場合はステップ４３へ進む。ステップ４３、ステップ４４ではリレー１４を１秒オン、１秒オフさせる。ステップ４５により、リレー１４の１秒オン、１秒オフの動作を６回繰り返し、６回繰り返した後、ステップ４６へ進む。ステップ４６では、リレーが正常に戻ったかどうかを判定し、正常に戻ったならばステップ４７で異常フラグをクリアして処理を終了する。異常状態のままならば、ステップ４８にて異常フラグを立てる。
【００３１】
以上のように、本実施の形態においては、絶縁接点検知手段１７がリレー１４の接点異常を検知すると、所定回数リレー１４のオン／オフを繰り返す異常解除手段４０を付加したので、リレー１４の接点溶着が起こった場合、何回かリレー１４のオン／オフを繰り返すことによりリレー１４の接点に負荷がかかり、接点溶着が解除することができる。
【００３２】
（実施の形態４）
図８は、本発明の実施の形態４の炊飯器のブロック図を示すものである。
【００３３】
図８に示すように、モード変更手段５０は、絶縁接点検知手段１７がリレー１４の接点溶着などの異常を検知すると、異常モードにモード変更してリレー１４のオン、オフを禁止するものである。他の構成は上記実施の形態１と同じであり、同一符号を付して説明を省略する。
【００３４】
上記構成において動作、作用を説明する。絶縁接点検知手段１７がリレー１４の接点溶着などの異常を検知すると、異常停止モードにすることにより、炊飯器の異常を使用者に知らせることができる。
【００３５】
以上のように、本実施の形態においては、絶縁接点検知手段１７がリレー１４の接点異常を検知すると、異常停止モードにモード変更し、リレー１４のオンを禁止するモード変更手段５０を付加したので、異常停止モードにすることにより、炊飯器の異常を使用者に知らせることができ、異常なまま炊飯器の使用を続けるのを防ぐことができる。
【００３６】
（実施の形態５）
図９は、本発明の実施の形態５の炊飯器のブロック図を示すものである。
【００３７】
図９に示すように、入力手段６０はスイッチで構成し、再復帰手段６１は、モード変更手段５０によって異常モードになったとき、入力手段６０から入力があった場合、再度リレー１４に復帰動作を行わせるようにしている。他の構成は上記実施の形態４と同じであり、同一符号を付して説明を省略する。
【００３８】
上記構成において図１０を参照しながら動作、作用を説明する。
【００３９】
図１０において、ステップ６２で異常モードがどうかを確認し、異常モードでなければ処理を終了し、異常モードならばステップ６３へ進む。ステップ６３では入力手段６０から入力があったかどうかを確認し、入力がなければ処理を終了する。入力があればステップ６４へ進む。ステップ６４、ステップ６５ではリレー１４に１秒オン、１秒オフの動作を行わせる。ステップ６６により、リレーの１秒オン、１秒オフの動作を６回繰り返し、６回繰り返した後、ステップ６７へ進む。ステップ６７ではリレー１４が正常戻ったかどうかを確認し、異常のままならば処理を終了する。正常に復帰した場合はステップ６８で異常モードから正常モードにモードを変更する。
【００４０】
以上のように、本実施の形態においては、スイッチなどの入力手段６０と、異常停止モードの際に入力手段６０から入力があった場合は再度リレー１４に復帰動作を行わせる再復帰手段６１を付加したので、時間がたってリレー１４の接点溶着などの異常が解除する場合もあるので、異常停止モードの際も入力手段６０による入力によって、再度復帰動作をできるようにすることで再復帰することができる。
【００４１】
（実施の形態６）
図１１は、本発明の実施の形態６の炊飯器のブロック図を示すものである。
【００４２】
図１１に示すように、記憶手段７１は、リレー１４の接点異常が復帰した場合でもリレー１４の接点異常を記憶するものであり、表示手段７２は憶手段７１が記憶したデータを表示するものである。他の構成は上記実施の形態１と同じであり、同一符号を付して説明を省略する。
【００４３】
上記構成において動作、作用を説明する。絶縁接点検知手段１７がリレー１４の接点異常を検知した場合は、記憶手段７０にリレー１４の接点異常を検知したことを記憶し、表示手段７１に記憶手段７０の内容を表示することができる。
【００４４】
以上のように、本実施の形態においては、リレー１４の接点異常が復帰した場合でもリレー１４の接点異常を記憶する記憶手段７１と、記憶手段７１が記憶したデータを表示する表示手段７２を付加したので、製品の不良解析の際、重要な手がかりにすることができる。
【産業上の利用可能性】
【００４５】
以上のように、本発明にかかる炊飯器は、光加熱手段と絶縁接点検知手段が電気的に絶縁されているので、光加熱手段に電流を流すことなくリレーの接点溶着などの異常を検知することができ、光加熱手段の寿命に影響を与えないようにすることができるので。リレーにより加熱手段の加熱制御をする炊飯器として有用である。
【図面の簡単な説明】
【００４６】
【図１】本発明の実施の形態１の炊飯器のブロック図
【図２】同炊飯器の断面図
【図３】同炊飯器の要部回路図
【図４】本発明の実施の形態２の炊飯器のブロック図
【図５】同炊飯器の要部回路図
【図６】本発明の実施の形態３の炊飯器のブロック図
【図７】同炊飯器の動作を示すフローチャート
【図８】本発明の実施の形態４の炊飯器のブロック図
【図９】本発明の実施の形態５の炊飯器のブロック図
【図１０】同炊飯器の動作を示すフローチャート
【図１１】本発明の実施の形態６の炊飯器のブロック図
【図１２】従来の炊飯器の要部回路図
【符号の説明】
【００４７】
１０  内鍋
１１  炊飯器本体
１２  蓋
１３  光加熱手段
１４  リレー
１５  駆動手段
１６  制御手段
１７  絶縁接点検知手段
【図１】
2008264201.tif 000003
【図３】
2008264201.tif 000004
【図４】
2008264201.tif 000005
【図５】
2008264201.tif 000006
【図６】
2008264201.tif 000007
【図７】
2008264201.tif 000008
【図８】
2008264201.tif 000009
【図９】
2008264201.tif 000010
【図１０】
2008264201.tif 000011
【図１１】
2008264201.tif 000012
【図１２】
2008264201.tif 000013
【図２】
2008264201.tif 000014